(57)【要約】【課題】筐体内の冷却が必要な電子機器において、コスト増や消費電力増及び大型化を招くことなく、塵埃による不具合を確実に防止する。【解決手段】  電子機器としてのプロジェクタは、本体部を収容するための筐体を備えている。筐体の内部には、本体部を覆って防塵する防塵カバー６６が設けられている。防塵カバー６６には、本体部を覆った際にも冷却ファンの駆動にともなう外気の流入を阻害しない通気性と、外気を流入させた際にも内側に塵埃が侵入することを防ぐ防塵性と、光源の熱で変形しない耐熱性とを有する材料が用いられている。これにより、冷却ファンによる本体部の冷却を阻害することなく本体部を防塵する。本体部を覆うという簡素な構成で防塵することができるので、本体部の防塵にともなうプロジェクタのコスト増や大型化が抑えられる。また、電力を消費しないので、消費電力増を招くこともない。【選択図】図５
2010286699.tif 000002
【特許請求の範囲】
【請求項１】
光を照射する光源と、画像光を生成する画像光生成部と、前記画像光を投写する投写光学系と、これらを冷却する冷却ファンとを有する本体部と、
前記本体部を内部に収容するとともに、内部に外気を流入させるための吸気口が設けられた筐体とを備えたプロジェクタにおいて、
通気性と防塵性とを有する材料を用いて形成され、前記筐体内で前記本体部を覆うことにより前記本体部を防塵する防塵部材を設けたことを特徴とするプロジェクタ。
【請求項２】
前記吸気口には、外気の流入を許容する開き位置と、外気の流入を遮断する閉じ位置との間で移動するルーバが設けられていることを特徴とする請求項１記載のプロジェクタ。
【請求項３】
前記本体部には、前記画像光を生成する際に用いられる映像信号を無線で受信する映像信号受信手段が設けられていることを特徴とする請求項１又は２記載のプロジェクタ。
【請求項４】
前記筐体には、所定の指示を入力するための操作部材と、前記操作部材の操作に応じた指示情報を無線で前記本体部に送信する指示情報送信手段とが設けられており、
前記本体部には、前記指示情報を受信するための指示情報受信手段が設けられていることを特徴とする請求項１から３のいずれか１項に記載のプロジェクタ。
【請求項５】
前記指示情報送信手段と前記指示情報受信手段とは、赤外線を用いた無線通信で前記指示情報を送受し、
前記指示情報受信手段は、リモコンから送信される赤外線信号の受信機能を兼ねていることを特徴とする請求項４記載のプロジェクタ。
【請求項６】
前記本体部を固定するためのベース板を備え、
前記防塵部材は、かご状に形成され、前記本体部に被さるように前記ベース板に取り付けられて前記本体部を覆うことを特徴とする請求項１から５のいずれか１項に記載のプロジェクタ。
【請求項７】
前記防塵部材は、袋状に形成され、前記本体部を内部に収容して全体を包むように前記本体部を覆うことを特徴とする請求項１から５のいずれか１項に記載のプロジェクタ。
【請求項８】
冷却ファンを有する本体部と、前記本体部を収容する筐体と、前記筐体に設けられ、前記筐体内に外気を流入させるための吸気口とを備え、
前記冷却ファンを駆動し、前記吸気口を介して前記筐体内に外気を流入させることで前記本体部を冷却する電子機器において、
通気性と防塵性とを有する材料を用いて形成され、前記筐体内で前記本体部を覆うことにより前記本体部を防塵する防塵部材を設けたことを特徴とする電子機器。
【発明の詳細な説明】
【技術分野】
【０００１】
本発明は、外気を流入させて筐体内を冷却するプロジェクタ及び電子機器に関する。
【背景技術】
【０００２】
光源が照射した光を透過型の液晶パネルやデジタルマイクロミラーデバイス（ＤＭＤ）などに入射させて画像光を生成し、その画像光を投写することにより、スクリーンなどに画像を拡大表示するプロジェクタが知られている。プロジェクタの光源には、キセノンランプなどの高輝度のものが用いられている。こうした光源は、発熱量も非常に高く、放置しておくと筐体内部の温度が上昇し過ぎて光源や他の光学系及び各種の回路に狂いを生じさせたり故障させたりしてしまう恐れがある。このため、一般的なプロジェクタでは、冷却用のファンを設け、光源やこれを駆動するための回路などに冷却風を吹き付けて、これらの冷却を行っている。
【０００３】
上記のようにファンを駆動すると、外気とともに塵埃が筐体内に侵入してしまう。侵入した塵埃が画像光の光路内に入り込んだり光学系に付着したりすると、投映する画像にゴミとして写り込んでしまうという問題が生じる。このため、特許文献１では、弾性材料からなる防塵部材で隙間を埋めることにより、液晶パネルなどに塵埃が付着することを防ぐようにしている。
【０００４】
また、筐体内に塵埃が侵入すると、長期間に亘ってプロジェクタを使用していくうちに、それが徐々に筐体内に蓄積され、例えば、熱が逃げ難くなって各部の狂いや故障を誘発させてしまうといった思わぬ不具合の要因になってしまう。さらに、筐体内に侵入した塵埃は、筐体内の各部材の細部にまで入り込んでしまうため、筐体を開けて内部を清掃するのも非常に煩わしい。
【０００５】
特許文献１は、液晶パネルなどの重要な部分を局所的に防塵するものであり、画像への写り込みを防げたとしても、塵埃の蓄積にともなう不具合を防ぐことはできない。そこで、特許文献２では、光源の周囲に密閉空間を形成し、この密閉空間内で冷却空気を循環させることによって光源などの冷却を行なうようにしている。こうすれば、筐体内に外気を流入させる必要がないので、筐体内への塵埃の侵入、及びこれにともなう不具合を確実に防止することができる。
【先行技術文献】
【特許文献】
【０００６】
【特許文献１】特開２００３−１７７３８２号公報
【特許文献２】特開２００８−１９１５３１号公報
【発明の概要】
【発明が解決しようとする課題】
【０００７】
しかしながら、特許文献２の構成では、筐体内への塵埃の侵入を確実に防止することができるものの、空気を循環させるファンの他にペルチェ素子などの冷却手段が必要になり、プロジェクタのコスト増及び消費電力増を招いてしまう。さらに、密閉空間や冷却手段を設けるスペースが必要となるため、プロジェクタの大型化を招いてしまうことも懸念される。近年、プロジェクタでは、他の電子機器と同様に低価格化、省電力化、小型軽量化が進められており、コスト増や消費電力増及び大型化を招くことなく筐体内に侵入する塵埃への対策を講じることが望まれている。
【０００８】
本発明は、上記課題を鑑みてなされたものであり、プロジェクタなどの筐体内の冷却が必要な電子機器において、コスト増や消費電力増及び大型化を招くことなく、塵埃による不具合を確実に防止できるようにすることを目的とする。
【課題を解決するための手段】
【０００９】
上記目的を達成するため、本発明は、光を照射する光源と、画像光を生成する画像光生成部と、前記画像光を投写する投写光学系と、これらを冷却する冷却ファンとを有する本体部と、前記本体部を内部に収容するとともに、内部に外気を流入させるための吸気口が設けられた筐体とを備えたプロジェクタにおいて、通気性と防塵性とを有する材料を用いて形成され、前記筐体内で前記本体部を覆うことにより前記本体部を防塵する防塵部材を設けたことを特徴とする。
【００１０】
上記では、筐体内に外気を流入させるための吸気口を設け、吸気口を介して筐体内に外気を流入させることで本体部を冷却すると記載している。筐体内を冷却する方法としては、これとは反対に、筐体内の空気を積極的に排出させることが考えられる。しかしながら、筐体の容積に対して筐体内の空気が大幅に増減することはないので、当然、外気を流入させた場合には、吸気口などから筐体内の空気が押し出されるように排出され、筐体内の空気を排出させた場合には、排気口などから外気が流入する。従って、「筐体内の空気を排出させるための排気口を設け、排気口を介して筐体内の空気を排出させることで本体部を冷却する」といったように上記の記載を置き換えても、これは同義である。
【００１１】
前記吸気口には、外気の流入を許容する開き位置と、外気の流入を遮断する閉じ位置との間で移動するルーバが設けられていることが好ましい。また、前記本体部には、前記画像光を生成する際に用いられる映像信号を無線で受信する映像信号受信手段が設けられていることが好ましい。
【００１２】
前記筐体には、所定の指示を入力するための操作部材と、前記操作部材の操作に応じた指示情報を無線で前記本体部に送信する指示情報送信手段とが設けられており、前記本体部には、前記指示情報を受信するための指示情報受信手段が設けられていることが好ましい。この際、前記指示情報送信手段と前記指示情報受信手段とが、赤外線を用いた無線通信で前記指示情報を送受し、前記指示情報受信手段が、リモコンから送信される赤外線信号の受信機能を兼ねているとより好適である。
【００１３】
前記本体部を固定するためのベース板を備え、前記防塵部材は、かご状に形成され、前記本体部に被さるように前記ベース板に取り付けられて前記本体部を覆うことが好ましい。また、前記防塵部材は、袋状に形成され、前記本体部を内部に収容して全体を包むように前記本体部を覆うものでもよい。
【００１４】
また、本発明は、冷却ファンを有する本体部と、前記本体部を収容する筐体と、前記筐体に設けられ、前記筐体内に外気を流入させるための吸気口とを備え、前記冷却ファンを駆動し、前記吸気口を介して前記筐体内に外気を流入させることで前記本体部を冷却する電子機器において、通気性と防塵性とを有する材料を用いて形成され、前記筐体内で前記本体部を覆うことにより前記本体部を防塵する防塵部材を設けたことを特徴とする。
【発明の効果】
【００１５】
本発明では、通気性と防塵性とを有する材料を用いて形成された防塵部材で覆うことで筐体内の本体部を防塵するようにした。こうすれば、冷却ファンの駆動による外気の流入にともなって筐体内に塵埃が侵入したとしても、防塵部材によって塵埃が遮られ、本体部に塵埃が蓄積されることがないので、塵埃による各部の狂いや故障が防止される。また、筐体内に侵入した塵埃を清掃する際には、防塵部材の外面に付着した塵埃を除去するだけでよいので、清掃もし易い。また、本体部を覆うという簡素な構成で防塵することができるので、密閉空間や冷却手段を設ける場合に比べ、本体部の防塵にともなうプロジェクタのコスト増や大型化を抑えることもできる。さらには、電力を消費しないので、プロジェクタの消費電力増を招くこともない。また、防塵部材の内部に流入する外気の最大流入量は、防塵部材の面積によって左右されるが、通常の冷却ファンの大きさ程度の防塵部材の面積に比べて、本願では、格段に広い面積を確保でき、冷却ファンの能力を有効に使用することができる。
【図面の簡単な説明】
【００１６】
【図１】プロジェクタの正面方向の外観斜視図である。
【図２】ルーバが開き位置にある状態と閉じ位置にある状態とを示す説明図である。
【図３】プロジェクタの背面方向の外観斜視図である。
【図４】本体部の構成を概略的に示すブロック図である。
【図５】プロジェクタの分解斜視図である。
【図６】防塵部材の構成を示す斜視図である。
【図７】プロジェクタの部分断面図である。
【図８】制御回路の電気的構成を概略的に示すブロック図である。
【図９】袋状に形成した防塵部材を示す説明図である。
【発明を実施するための形態】
【００１７】
図１に示すように、プロジェクタ（電子機器）１０は、直方体状に形成された筐体１１と、この筐体１１の内部に収容された本体部１２とを備えている。筐体１１は、上ケース１３と下ケース１４とで構成されている。各ケース１３、１４は、それぞれ略同一の開口形状を有する略直方体の開口箱状に形成されている。筐体１１は、互いの開口を合わせた状態で各ケース１３、１４を保持することによって内部空間を形成し、この内部空間に本体部１２を収容する。
【００１８】
本体部１２には、光源部１５、画像光生成部１６、投写レンズ（投写光学系）１７、制御部１８が設けられている。光源部１５は、光を照射する光源３０（図４参照）を備え、この光源３０の光を画像光生成部１６に供給する。画像光生成部１６は、光源部１５から供給された光を基に、画像情報を付与した画像光を生成する。投写レンズ１７は、画像光生成部１６が生成した画像光をスクリーンなどに投写する。これにより、画像光に応じた画像がスクリーンなどに拡大表示される。制御部１８は、プロジェクタ１０の各部を統括的に制御する。
【００１９】
投写レンズ１７は、画像光生成部１６に取り付けられ、各ケース１３、１４に形成された切り欠き１３ａ、１４ａ（図５参照）を介して筐体１１の前面にその一部を露呈させている。この投写レンズ１７には、変倍レンズ及びフォーカスレンズからなるズームレンズが用いられている。投写レンズ１７は、指示に応答して変倍レンズ用のレンズモータやフォーカスレンズ用のレンズモータを駆動し、各レンズを光軸方向に移動させることで、投写する画像光のズーム調節及びフォーカス調節を行う。
【００２０】
筐体１１の上面には、プロジェクタ１０の電源のＯＮ／ＯＦＦを切り替えるための電源ボタン１９、ズーム調節を指示するためのズームダイヤル２０、フォーカス調節を指示するためのフォーカスダイヤル２１、画像光の光量の調節を指示するための光量調節ダイヤル２２が設けられている。投写レンズ１７のズーム調節やフォーカス調節、及び光量の調節は、これらの各ダイヤル２０〜２２を回転操作することによって行われる。
【００２１】
筐体１１の前面には、リモコン（図示は省略）から送信される赤外線を用いた無線信号（以下、赤外線信号と称す）を筐体１１内に透過させるための赤外線透過窓２３が設けられている。この赤外線透過窓２３には、例えば、樹脂材料やガラス材料が用いられている。プロジェクタ１０では、リモコンからでも電源のＯＮ／ＯＦＦの切り替え、及びズーム、フォーカス、光量の各調節の指示を行うことができるようになっている。
【００２２】
筐体１１の側面には、筐体１１内に外気を流入させるための吸気口２４が設けられている。吸気口２４は、略矩形の枠状に形成された枠体２４ａを有している。この枠体２４ａには、複数枚のブレード２５ａからなるルーバ２５と、スライド式の操作レバー２６とが設けられている。各ブレード２５ａは、枠体２４ａの開口部に嵌め込まれるように設けられるとともに、上下方向を軸に揺動自在に取り付けられており、図２（ａ）に示す開き位置と、図２（ｂ）に示す閉じ位置との間で移動する。各ブレード２５ａが開き位置にあるルーバ２５は、枠体２４ａの開口部を露呈させ、筐体１１内への外気の流入を許容する。一方、各ブレード２５ａが閉じ位置にあるルーバ２５は、枠体２４ａの開口部を塞ぎ、筐体１１内への外気の流入を遮断する。
【００２３】
また、各ブレード２５ａには、シリコン樹脂が用いられている。各ブレード２５ａは、閉じ位置に移動した際に、互いに折り重なって僅かに弾性変形し、枠体２４ａの開口部を密閉する。こうすれば、外気の流入を確実に遮断することができる。
【００２４】
操作レバー２６は、枠体２４ａにスライド自在に取り付けられ、図示を省略した連結機構を介してルーバ２５の各ブレード２５ａと接続されている。操作レバー２６をスライド移動させると、その駆動力が連結機構を介して各ブレード２５ａの回転軸に伝わる。これにより、操作レバー２６を操作することで、各ブレード２５ａが開き位置と閉じ位置との間で移動する。なお、連結機構には、カムなどから構成される周知の機構を用いればよい。
【００２５】
プロジェクタ１０を使用し、画像光の投写を行う場合には、ルーバ２５の各ブレード２５ａを開き位置にし、筐体１１内に外気が流入して筐体１１内が冷却されるようにする。一方、プロジェクタ１０を使用せずに保管しておく場合には、ルーバ２５の各ブレード２５ａを閉じ位置にしておく。こうすれば、保管時に吸気口２４から筐体１１内に塵埃が侵入することを防ぐことができる。
【００２６】
図３に示すように、筐体１１の背面には、吸気口２４から流入した外気を排気するための排気口２７と、電源ケーブルを接続するための電源コネクタ２８とが設けられている。プロジェクタ１０には、この電源コネクタ２８及び電源ケーブルを介して電力が供給される。また、電源コネクタ２８は、制御部１８に取り付けられ、各ケース１３、１４に形成された切り欠き１３ｂ、１４ｂ（図５参照）を介して筐体１１の背面にその一部を露呈させている。なお、排気口２７にも、ルーバなどの開閉手段を設けてもよい。
【００２７】
図４に示すように、光源部１５は、光源３０、リフレクタ３１、ＵＶカットフィルタ３２、インテグレータ３３、コリメートレンズ３４、偏光子３５、絞り機構３６、ミラー３７、冷却ファン３８などから構成されている。光源３０は、例えばキセノンランプやメタルハライドランプ及び超高圧水銀ランプなどの高輝度ランプであり、特定の偏光方向を持たない自然な白色光を照射する。また、光源３０は、電源のＯＮと同時に点灯する。リフレクタ３１は、光源３０が照射した照射光を一方向に集光する。ＵＶカットフィルタ３２は、プロジェクタ１０に含まれる各種の光学部品が紫外光によって劣化してしまうことを防止するため、入射した照射光から紫外光を除去する。
【００２８】
インテグレータ３３は、例えば、ガラスロッドと、このガラスロッドの端面に設けられるマイクロレンズアレイなどから構成されている。インテグレータ３３は、入射した照射光の照射面内の光量分布を均一化し、その照射光をコリメートレンズ３４に入射させる。コリメートレンズ３４は、入射した照射光を略平行光束に変換する。偏光子３５は、入射した照射光を直線偏光に整える。絞り機構３６は、絞り開口の開口径を変化させることによって、照射光の光量を調節する。ミラー３７は、入射した照射光を反射させて向きを変え、画像光生成部１６に向かわせる。これにより、光源部１５から画像光生成部１６に照射光が供給される。
【００２９】
冷却ファン３８は、光源３０に隣接し、かつ吸気口２４と対面するように配置されている。冷却ファン３８は、光源３０と同様に電源のＯＮと同時に駆動され、吸気口２４を介して筐体１１内に外気を流入させる。冷却ファン３８は、このように外気を流入させ、外気を冷却風として光源３０などに吹き付けることにより、光源３０などを冷却する。これにより、光源３０の発熱にともなう筐体１１内の温度上昇、及びこれにともなう本体部１２の各部の故障などが防止される。
【００３０】
画像光生成部１６は、ダイクロイックミラー４０、４１、赤色光用液晶表示素子４２、緑色光用液晶表示素子４３、青色光用液晶表示素子４４、クロスダイクロイックプリズム４５などから構成されている。
【００３１】
ダイクロイックミラー４０は、光源部１５から供給された照射光が入射するように配置されている。また、ダイクロイックミラー４０は、略板状に形成され、照射光の光軸に対して略４５度傾いて設けられている。ダイクロイックミラー４０は、赤色光を反射させ、緑色光と青色光とを透過させる特性を有しており、白色光である照射光のうち、赤色光成分のみを反射させ、緑色光成分と青色光成分とを透過させる。
【００３２】
ダイクロイックミラー４０で反射した赤色光は、ミラー５０を介して赤色光用液晶表示素子４２に向かう。一方、ダイクロイックミラー４０を透過した緑色光と青色光とは、ダイクロイックミラー４１に向かう。
【００３３】
ダイクロイックミラー４１は、ダイクロイックミラー４０と同様に、略板状に形成され、照射光の光軸に対して略４５度傾いて設けられている。ダイクロイックミラー４１は、緑色光を反射させ、青色光を透過させる特性を有しており、ダイクロイックミラー４０を透過した緑色光成分及び青色光成分の照射光のうち、緑色光成分を反射させ、青色光成分を透過させる。
【００３４】
ダイクロイックミラー４１で反射した緑色光は、緑色光用液晶表示素子４３に向かう。一方、ダイクロイックミラー４１を透過した青色光は、ミラー５１、５２を介して青色光用液晶表示素子４４に向かう。
【００３５】
赤色光用液晶表示素子４２は、例えば、透過型のＶＡＮ−ＬＣＤであり、偏光子５３と検光子５４との間に配置されている。偏光子５３は、赤色光用液晶表示素子４２に入射する赤色光を透過軸に沿った直線偏光に整える。検光子５４は、透過軸が偏光子５３の透過軸と垂直になるように、いわゆるクロスニコルに配置され、赤色光用液晶表示素子４２から入射する赤色光のうち透過軸に沿った方向の偏光成分だけをクロスダイクロイックプリズム４５に入射させる。
【００３６】
赤色光用液晶表示素子４２の液晶層に封入された液晶分子は、無電圧状態で赤色光用液晶表示素子４２の表面に対して略垂直に配向する。従って、偏光子５３から赤色光用液晶表示素子４２に入射し、無電圧状態に調節された液晶層を透過する光は、検光子５４を透過しない。また、こうした液晶分子の配向は、液晶分子を上下に挟み込むように設けられた配向膜によって実現される。この配向膜は、例えば、ガラス基板上に酸化シリコンなどを斜方蒸着することによって形成される。さらに、赤色光用液晶表示素子４２は、液晶層を挟み込むようにして設けられた透明電極間に印加する電圧を画素毎に調節し、各画素の液晶分子の配向を変化させて透過する赤色光の偏光状態を変調する。
【００３７】
赤色光用液晶表示素子４２は、このように透過する赤色光を変調することによって、赤色成分の画像情報を付与した赤色の画像光を生成し、その赤色の画像光をクロスダイクロイックプリズム４５に入射させる。
【００３８】
緑色光用液晶表示素子４３は、赤色光用液晶表示素子４２と同様に構成されており、透過する緑色光を変調することによって、緑色成分の画像情報を付与した緑色の画像光を生成し、その緑色の画像光をクロスダイクロイックプリズム４５に入射させる。さらに、青色光用液晶表示素子４４も、赤色光用液晶表示素子４２と同様に構成されており、透過する青色光を変調することによって、青色成分の画像情報を付与した青色の画像光を生成し、その青色の画像光をクロスダイクロイックプリズム４５に入射させる。
【００３９】
クロスダイクロイックプリズム４５は、ガラスなどの透明素材を用いて略立方体に形成され、互いに交差するダイクロイック面４５ａ、４５ｂを内部に備えている。ダイクロイック面４５ａは、赤色光を反射させ、緑色光と青色光とを透過させる特性を有している。ダイクロイック面４５ｂは、青色光を反射させ、赤色光と緑色光とを透過させる特性を有している。クロスダイクロイックプリズム４５に入射した赤色の画像光は、ダイクロイック面４５ａで反射して投写レンズ１７に入射する。緑色の画像光は、各ダイクロイック面４５ａ、４５ｂを透過して投写レンズ１７に入射する。そして、青色の画像光は、ダイクロイック面４５ｂで反射して投写レンズ１７に入射する。
【００４０】
このように、クロスダイクロイックプリズム４５は、入射した各色の画像光を一まとめにした合成画像光として投写レンズ１７に入射させる。これにより、赤、緑、青の各色の画像情報が付与された合成画像光が投写レンズ１７によって投写され、フルカラーの画像がスクリーンなどに表示される。
【００４１】
制御部１８には、プロジェクタ１０の各部を制御するための制御回路６０と、プロジェクタ１０の各部に電力を供給するための電源回路６２とが設けられている。電源回路６２には、電源コネクタ２８が電気的に接続されている。電源回路６２は、電源ケーブルと電源コネクタ２８とを介して交流の商用電源から電力が供給されると、これに直流変換処理や電圧変換処理などを施してプロジェクタ１０の各部に応じた電力を生成する。電源回路６２は、各部の電力を生成すると、電源がＯＦＦの状態であっても制御回路６０のみには電力を供給する。これにより、制御回路６０が起動し、電源ボタン１９やリモコンの操作が受け付け可能なスタンバイ状態になる。そして、電源回路６２は、電源ボタン１９やリモコンの操作によって電源のＯＮが指示されたことに応答して各部に電力を供給する。これにより、電源のＯＮに応答して光源３０の点灯や冷却ファン３８の駆動が開始され、プロジェクタ１０が起動状態になる。また、電源回路６２は、電源ボタン１９やリモコンの操作によって電源のＯＦＦが指示されると、これに応答して制御回路６０以外への電力の供給を停止し、プロジェクタ１０を再びスタンバイ状態にする。
【００４２】
図５に示すように、筐体１１の内部には、本体部１２の他に、本体部１２を下ケース１４に固定するためのベース板６５と、本体部１２を覆って防塵するための防塵カバー（防塵部材）６６とが設けられている。本体部１２の各部は、ネジ止めなどによってベース板６５に固定される。ベース板６５の四隅には、ベース板６５を下ケース１４に取り付けるための貫通孔６５ａが形成されている。下ケース１４の内底面には、各貫通孔６５ａのそれぞれに対応する位置に、ネジ穴が形成されたボス１４ｃが設けられている。ベース板６５は、上側から各貫通孔６５ａにネジを通し、ボス１４ｃにネジ止めすることで、下ケース１４に取り付けられる。このように、本体部１２の各部は、ベース板６５に固定された後、ベース板６５を介して下ケース１４に固定される。
【００４３】
図６に示すように、防塵カバー６６は、本体部１２の外形に応じた略矩形のかご状に形成されている。防塵カバー６６は、本体部１２に被さるようにベース板６５に取り付けられ、本体部１２を覆うことによって本体部１２を防塵する。防塵カバー６６には、その開口の縁に沿ってフランジ部６６ａが形成されている。このフランジ部６６ａは、金属や硬質な樹脂などで形成されている。フランジ部６６ａには、ネジを通すための複数の貫通孔６６ｂが設けられている。ベース板６５の表面には、各貫通孔６６ｂに対応する位置に、ネジ穴６５ｂが設けられている。防塵カバー６６は、上側から各貫通孔６６ｂにネジを通してネジ止めすることで、ベース板６５に取り付けられる。また、フランジ部６６ａの裏面（ベース板６５に接触する面）には、弾性のあるゴムシートが貼り付けられている。ゴムシートは、防塵カバー６６をベース板６５にネジ止めした際に、ベース板６５とフランジ部６６ａとの間に挟まれて弾性変形する。これにより、フランジ部６６ａとベース板６５との間に隙間が生じることが防止される。
【００４４】
また、防塵カバー６６には、投写レンズ１７を露呈させるための開口６６ｃと、電源コネクタ２８を露呈させるための開口６６ｄとが設けられている。開口６６ｃは、投写レンズ１７の外形に応じて略円形に形成されている。同様に、開口６６ｄは、電源コネクタ２８の外形に応じて略矩形に形成されている。各開口６６ｃ、６６ｄの縁部分には、シリコンゴムなどの弾性材料からなるシール部材が設けられている。シール部材は、各開口６６ｃ、６６ｄに投写レンズ１７、電源コネクタ２８を通してこれらを露呈させた際に、投写レンズ１７、電源コネクタ２８の側面部分に接して僅かに弾性変形し、各開口６６ｃ、６６ｄと投写レンズ１７、電源コネクタ２８との間に隙間が生じることを防ぐ。
【００４５】
この防塵カバー６６のフランジ部６６ａ以外の部分（本体部１２を覆う部分）には、本体部１２を覆った際にも冷却ファン３８の駆動にともなう外気の流入を阻害しない通気性と、外気を流入させた際にも内側に塵埃が侵入することを防ぐ防塵性と、光源３０の熱で変形しない耐熱性とを有する材料が用いられている。これにより、冷却ファン３８による本体部１２の冷却を阻害することなく本体部１２を防塵することができる。
【００４６】
こうした材料としては、例えば、ガラス繊維や金属繊維などを接合して形成した不織布、金属粉末を焼き固めて多孔質状に形成した焼結金属フィルタ、ポリイミドなどの耐熱性の高い樹脂で形成された多孔質フィルムなどが挙げられる。なお、防塵カバー６６の材料に不織布や多孔質フィルムなどを用い、これらだけでは防塵カバー６６の外形が保てない場合などには、金属や硬質な樹脂材料などで骨組みを形成し、これらに上記材料を貼り付けて防塵カバー６６を構成するようにしてもよい。もちろん、外形が崩れても問題ない場合には、この限りではない。
【００４７】
図７に示すように、赤外線透過窓２３の奥には、この赤外線透過窓２３を透過した赤外線信号を受信し、その赤外線信号を電気的な信号に変換する赤外線受信部７０が設けられている。赤外線受信部７０は、赤外線透過窓２３と対面するように配置され、ブラケット７１を介して上ケース１３の内側面に取り付けられている。上ケース１３の天井面には、図示を省略したブラケットを介して回路基板７２が取り付けられている。回路基板７２は、各ダイヤル２０〜２２の回転軸２０ａ〜２２ａを回転自在に支持している。回路基板７２には、各回転軸２０ａ〜２２ａの回転量を検知する検知センサが設けられている。回路基板７２は、これらの各検知センサの検知結果を各ダイヤル２０〜２２の回転操作に応じたズーム、フォーカス、光量の各調節の指示情報として得る。なお、この検知センサには、ジャイロセンサやロータリエンコーダなどの周知のセンサを用いればよい。
【００４８】
また、回路基板７２には、配線１９ａを介して電源ボタン１９が電気的に接続されている。電源ボタン１９には、電源ボタン１９の操作部の押圧を検知する検知センサが設けられており、この検知センサの検知結果が配線１９ａを介して回路基板７２に入力される。そして、回路基板７２は、この検知センサの検知結果を電源ＯＮ／ＯＦＦの指示情報として得る。また、回路基板７２には、配線７０ａを介して赤外線受信部７０が電気的に接続されており、赤外線受信部７０による赤外線信号の受信結果が入力される。
【００４９】
回路基板７２には、赤外線通信の送受信回路が形成されている。そして、回路基板７２には、本体部１２に向けて赤外線信号を送信するための赤外線送信部（指示情報送信手段）７３が設けられている。回路基板７２は、電源ボタン１９及び各ダイヤル２０〜２２の操作に応じた指示情報を得ると、これを赤外線送信部７３から赤外線信号として本体部１２に送信する。また、回路基板７２は、赤外線受信部７０の受信結果が入力されると、その受信結果に応じた赤外線信号を赤外線送信部７３から送信する。
【００５０】
防塵カバー６６の赤外線送信部７３と対面する位置には、赤外線送信部７３からの赤外線信号を透過させるための赤外線透過窓６６ｅが設けられている。画像光生成部１６には、赤外線透過窓６６ｅ及び赤外線送信部７３と対面する位置に、赤外線受信部（指示情報受信手段）７４が設けられている。赤外線受信部７４は、赤外線透過窓６６ｅを透過した赤外線信号を受信し、その赤外線信号を電気的な信号に変換する。これにより、電源ボタン１９及び各ダイヤル２０〜２２の操作に応じた指示情報と、リモコンからの赤外線信号とが、赤外線を用いた無線通信で本体部１２に入力される。なお、防塵カバー６６に不織布など赤外線が透過する材料を用いた場合には、防塵カバー６６に赤外線透過窓６６ｅを設けなくてもよい。
【００５１】
図８に示すように、制御部１８の制御回路６０には、ＣＰＵ８０、メモリ８１、無線ＬＡＮ送受信部（映像信号受信手段）８２、液晶駆動回路８３、レンズ駆動回路８４、絞り駆動回路８５が設けられている。メモリ８１には、プロジェクタ１０を制御するための各種のプログラムやデータが記憶されている。ＣＰＵ８０は、メモリ８１からこれらのプログラムやデータを読み出して処理することにより、プロジェクタ１０の各部を制御する。
【００５２】
無線ＬＡＮ送受信部８２、液晶駆動回路８３、レンズ駆動回路８４、絞り駆動回路８５の各部は、ＣＰＵ８０に接続されており、ＣＰＵ８０によってその動作が制御される。また、ＣＰＵ８０には、これらの他に、画像光生成部１６に設けられた赤外線受信部７４、及び電源回路６２が接続されている。ＣＰＵ８０には、赤外線受信部７４が受信した赤外線信号の受信結果、すなわち電源ボタン１９や各ダイヤル２０〜２２及びリモコンの操作に応じた指示情報が入力される。
【００５３】
ＣＰＵ８０は、入力された指示情報が電源のＯＮ／ＯＦＦを指示する指示情報であった場合、その指示情報を電源回路６２に送信する。電源回路６２は、この指示情報に応じて各部への電力の供給及び供給の停止を制御することにより、プロジェクタ１０を起動状態とスタンバイ状態とで切り替える。
【００５４】
無線ＬＡＮ送受信部８２は、無線ＬＡＮを介してパソコンなどから送信される映像信号を受信し、その映像信号を液晶駆動回路８３に入力する。液晶駆動回路８３には、画像光生成部１６に設けられた各液晶表示素子４２〜４４が接続されている。液晶駆動回路８３は、ＣＰＵ８０の制御の下、入力された映像信号に応じて各液晶表示素子４２〜４４の各画素の偏光状態を制御する。これにより、入力された映像信号に基づく画像情報が付与された画像光が生成される。
【００５５】
レンズ駆動回路８４には、投写レンズ１７が接続されている。レンズ駆動回路８４は、ＣＰＵ８０からの制御信号に応じて投写レンズ１７の各レンズモータを駆動し、投写レンズ１７の変倍レンズ及びフォーカスレンズを光軸方向に移動させる。ＣＰＵ８０は、赤外線受信部７４を介して入力された指示情報がズーム調節の指示情報又はフォーカス調節の指示情報であった場合に、これらに対応した制御信号を生成してレンズ駆動回路８４に入力する。これにより、ズームダイヤル２０、フォーカスダイヤル２１、もしくはリモコンを操作することで、投写レンズ１７のズーム調節やフォーカス調節が行われる。
【００５６】
絞り駆動回路８５には、絞り機構３６が接続されている。絞り駆動回路８５は、ＣＰＵ８０からの制御信号に応じて絞り機構３６に設けられたアイリスモータを駆動し、絞り開口の開口径を変化させる。ＣＰＵ８０は、赤外線受信部７４を介して入力された指示情報が光量調節の指示情報であった場合に、これに対応した制御信号を生成して絞り駆動回路８５に入力する。これにより、光量調節ダイヤル２２、もしくはリモコンを操作することで、光量の調節が行われる。
【００５７】
次に、上記構成によるプロジェクタ１０の作用について説明する。プロジェクタ１０を保管しておく場合には、ルーバ２５の各ブレード２５ａを閉じ位置にしておく。これにより、保管時に吸気口２４から筐体１１内に塵埃が侵入してしまうことを確実に防ぐことができる。
【００５８】
プロジェクタ１０を使用する場合には、まず電源コネクタ２８に電源ケーブルを接続し、電源ケーブルのプラグをコンセントに挿し込んでプロジェクタ１０に商用電源を供給する。商用電源を供給すると、電源回路６２から制御回路６０に電力が供給され、制御回路６０が起動してプロジェクタ１０がスタンバイ状態になり、電源ボタン１９やリモコンの操作が受け付け可能になる。
【００５９】
プロジェクタ１０をスタンバイ状態にしたら、操作レバー２６を操作してルーバ２５の各ブレード２５ａを閉じ位置から開き位置に移動させ、筐体１１内に外気が流入するようにした後、電源ボタン１９又はリモコンを操作して電源のＯＮを指示する。電源ボタン１９又はリモコンの操作にともなう電源ＯＮの指示情報は、赤外線送信部７３や赤外線受信部７４を介してＣＰＵ８０に入力される。ＣＰＵ８０は、電源ＯＮの指示情報が入力されると、その指示情報を電源回路６２に送信する。電源回路６２は、電源ＯＮの指示情報の受信に応答して各部への電力の供給を開始する。これにより、プロジェクタ１０がスタンバイ状態から起動状態に切り替えられ、光源３０の点灯や冷却ファン３８の駆動が開始される。
【００６０】
冷却ファン３８が駆動されると、吸気口２４から外気が流入する。流入した外気は、冷却風として光源３０などに吹き付けられ、光源３０など本体部１２の各部を冷却する。この際、外気とともに筐体１１内に侵入した塵埃は、防塵カバー６６によって遮られる。これにより、本体部１２に塵埃が蓄積されることがないので、塵埃による不具合を確実に防止することができる。また、筐体１１内に侵入した塵埃を清掃する際には、防塵カバー６６の外面に付着した塵埃を除去するだけでよいので、清掃もし易い。また、本体部１２を覆うという簡素な構成で防塵することができるので、本体部１２の防塵にともなうプロジェクタ１０のコスト増や大型化を抑えることもできる。さらには、電力を消費しないので、プロジェクタ１０の消費電力増を招くこともない。
【００６１】
プロジェクタ１０を起動状態にしたら、パソコンなどから無線ＬＡＮを介して映像信号を送信する。映像信号は、無線ＬＡＮ送受信部８２に受信され、液晶駆動回路８３に入力される。液晶駆動回路８３は、映像信号が入力されると、その映像信号に応じて各液晶表示素子４２〜４４の各画素の偏光状態を制御し、映像信号に基づく画像情報を付与した画像光を生成する。生成された画像光は、投写レンズ１７によって投写される。これにより、入力された映像信号がスクリーンなどに拡大表示される。
【００６２】
映像信号が投写表示された後、投写レンズ１７のズーム調節やフォーカス調節、及び光量の調節が必要な場合には、各ダイヤル２０〜２２を回転操作するか、リモコンを操作し、これらの調節を指示する。各ダイヤル２０〜２２又はリモコンの操作にともなう各調節の指示情報は、赤外線送信部７３や赤外線受信部７４を介してＣＰＵ８０に入力される。ＣＰＵ８０は、各調節の指示情報が入力されると、その指示情報に応じてレンズ駆動回路８４や絞り駆動回路８５を制御し、ズーム、フォーカス、光量の各調節を行う。
【００６３】
このように、電源ボタン１９や各ダイヤル２０〜２２などの操作部材の指示情報、及び映像信号を無線で本体部１２に入力すれば、配線材料などを通す開口を防塵カバー６６に設ける必要がなくなるので、防塵カバー６６の防塵性をより高めることができる。また、操作部材の指示情報の無線通信に赤外線通信を用い、リモコンからの赤外線信号の受信機能と兼用させるようにすれば、部品点数を削減することができ、指示情報の無線通信にともなうコスト増を抑えることができる。
【００６４】
ところで、本体部１２に塵埃が蓄積することを防ぐ方法としては、上記の他に、吸気口２４と同程度の面積の防塵部材を吸気口２４の内側に貼り付ける、すなわち吸気口２４の開口部分だけを防塵部材で塞ぐことも考えられる。しかしながら、防塵部材の内部に流入する外気の最大流入量は、防塵部材の面積によって左右されるため、吸気口２４と同程度の面積では、冷却ファン３８の能力を低下させてしまうことが懸念される。これに対し、本実施形態の防塵カバー６６では、吸気口２４と同程度の面積の防塵部材に比べて格段に広い面積を確保することができるので、冷却ファン３８の能力を有効に使用することができる。
【００６５】
上記実施形態では、無線ＬＡＮを介して映像信号を受信するようにしたが、他の無線通信規格によって映像信号を受信するようにしてもよい。また、上記実施形態では、操作部材の指示情報を赤外線通信で本体部１２に入力するようにしたが、ブルートゥースなどの他の無線通信規格によって指示情報を入力するようにしてもよい。もちろん、専用の開口を防塵部材に設けることにより、配線材料を介して有線で映像信号や操作部材の指示情報を本体部１２に入力するようにしてもよい。
【００６６】
上記実施形態では、防塵カバー６６をかご状に形成し、本体部１２に被さるようにベース板６５に取り付けられて本体部１２を覆うことにより、本体部１２を防塵するようにしたが、これに限ることなく、図９に示す防塵カバー１００のように袋状に形成し、本体部１２を内部に収容して全体を包むように本体部１２を覆うことにより、本体部１２を防塵するようにしてもよい。
【００６７】
防塵カバー１００は、上記実施形態の防塵カバー６６と同様に、投写レンズ１７を露呈させるための開口１００ａ、電源コネクタ２８を露呈させるための開口１００ｂ、赤外線送信部７３からの赤外線信号を透過させるための赤外線透過窓１００ｃが設けられている。
【００６８】
さらに、防塵カバー１００には、その内部空間に本体部１２を出し入れするための開口を開閉するファスナー１００ｄが設けられている。ファスナー１００ｄは、一方の側面の下端部分から上面を通って他方の側面の下端部分まで形成されている。また、この防塵カバー１００には、ファスナー１００ｄを開けた際に、その開口部の間口を広げるため、例えば、不織布や網状のものなど、上記実施形態の防塵カバー６６と同様の通気性、防塵性、耐熱性に加え、可撓性を有する柔らかな材料が用いられている。これにより、ファスナー１００ｄを開けた後、開口１００ｂが形成された背面部分全体を手前側に倒すようにすることで、本体部１２を出し入れするための開口が露呈される。
【００６９】
防塵カバー１００で本体部１２を防塵する際には、本体部１２の各部をベース板６５に取り付けた後、防塵カバー１００のファスナー１００ｄを開ける。そして、ファスナー１００ｄの開口部を介して防塵カバー１００の内部に本体部１２を収容し、ファスナー１００ｄを閉じる。これにより、防塵カバー１００によって本体部１２の全体が隙間無く覆われる。また、このようにファスナー１００ｄを設けて開口部を開閉すれば、防塵性を保ちつつ、防塵カバー１００に対して容易に本体部１２を出し入れすることができる。
【００７０】
上記実施形態では、吸気口２４の枠体２４ａに操作レバー２６を設け、ルーバ２５の各ブレード２５ａの開き位置と閉じ位置との間の移動を手動で行うようにしたが、これに限ることなく、例えば、モータやソレノイドなどの駆動手段を設け、この駆動手段の駆動力が連結機構を介してブレード２５ａの回転軸に伝わるようにし、電源のＯＮ／ＯＦＦに応答して駆動手段を駆動することにより、電源ＯＮ時に自動的に各ブレード２５ａを開き位置に移動させ、電源ＯＦＦ時に自動的に各ブレード２５ａを閉じ位置に移動させるようにしてもよい。また、各ブレード２５ａを手動で移動させる場合の操作部の形状は、スライド式の操作レバー２６に限ることなく、例えば、回転式のダイヤルなどでもよい。
【００７１】
上記実施形態では、液晶表示素子を用いたプロジェクタ１０に本発明を適用したが、本発明は、これに限ることなく、ＤＭＤを用いたものなど、他のタイプのプロジェクタに適用してもよい。さらに、本発明は、例えば、パソコンや家庭用ゲーム機など、外気を流入させて筐体内を冷却する必要がある他の電子機器に適用してもよい。
【符号の説明】
【００７２】
１０  プロジェクタ（電子機器）
１１  筐体
１２  本体部
１６  画像光生成部
１７  投写レンズ（投写光学系）
１９  電源ボタン（操作部材）
２０  ズームダイヤル（操作部材）
２１  フォーカスダイヤル（操作部材）
２２  光量調節ダイヤル（操作部材）
２４  吸気口
２５  ルーバ
３０  光源
３８  冷却ファン
６５  ベース板
６６、１００  防塵カバー（防塵部材）
７３  赤外線送信部（指示情報送信手段）
７４  赤外線受信部（指示情報受信手段）
８２  無線ＬＡＮ送受信部（映像信号受信手段）
【図１】
2010286699.tif 000003
【図２】
2010286699.tif 000004
【図３】
2010286699.tif 000005
【図４】
2010286699.tif 000006
【図５】
2010286699.tif 000007
【図６】
2010286699.tif 000008
【図７】
2010286699.tif 000009
【図８】
2010286699.tif 000010
【図９】
2010286699.tif 000011